(57)【要約】【課題】超低温液化ガス容器に対して簡単な工事を行うだけで、内圧調整弁の異常を検知することの可能な異常検知装置を提供する。【解決手段】圧力計５２と圧力計測用配管５１との間に３つ手の継ぎ手５３が挿入接続され、加圧弁６２と内圧調整弁６３との間にも３つ手の継ぎ手６４が挿入接続される。これら継ぎ手５３および継ぎ手６４に監視用配管７１を接続し、監視用配管７１の中途に差圧計７２を挿入接続する。内圧調整弁６３を実際に開いたときに得られた差圧計７２の計測値が所定の範囲Ｂ１〜Ｂ２内に入っているか否かを判定することにより、内圧調整弁６３の異常を判定したのち、その判定結果に応じた信号を出力する制御部７３と、制御部７３から出力された信号に応じた出力を行う報知部７５とを設ける。【選択図】図１
0003134551.tif 000002
【実用新案登録請求の範囲】
【請求項１】
内槽および外槽からなる二重殻構造を有する容器本体部と、
圧力計と、
一端が前記内槽内の上部に配置されると共に他端が前記圧力計に接続される第１の配管と、
一端が前記内槽内の底部に配置されると共に他端が前記内槽内の上部に配置される第２の配管と、
前記第２の配管の中途に挿入接続されると共に前記内槽の内圧が第１規定値を下回ったときに流量を調整する第１の弁と、
前記圧力計と前記第１の配管との間に挿入接続される３つ手の第１の継ぎ手と、
前記第２の配管のうち当該第２の配管の前記一端と前記第１の弁との間に挿入接続される３つ手の第２の継ぎ手と、
前記第１の継ぎ手および前記第２の継ぎ手に接続される第３の配管と、
前記第３の配管の中途に挿入接続される差圧計と
を備えた超低温液化ガス容器用の監視装置であって、
前記差圧計の計測値と所定の値とを対比して前記第１の弁の異常を判定したのち、その判定結果に応じた信号を出力する制御部と、
前記制御部から出力された信号に応じた出力を行う出力部と
を有する
ことを特徴とする監視装置。
【請求項２】
前記制御部は、正常な第１の弁を開いたときに生じ得る前記差圧計の計測値の低下量の範囲内に、前記第１の弁を実際に開いたときに前記差圧計によって得られた計測値が入っているか否かを判定し、その結果、その値が前記範囲内に入っていない場合には前記第１の弁に異常があると判断して、異常を示す信号を出力する
ことを特徴とする請求項１に記載の監視装置。
【請求項３】
前記制御部は、前記範囲の値を記憶する記憶部を有する
ことを特徴とする請求項２に記載の監視装置。
【請求項４】
前記超低温液化ガス容器は、
一端が前記内槽内の底部に配置されると共に他端が前記容器本体部の外部に配置される第４の配管を備え、
前記制御部は、前記第４の配管（充填取出用配管）から液化ガスが外部に流出している間、前記差圧計の計測値および前記内槽の断面積を用いて前記超低温液化ガス容器の交換時期を導出し、その交換時期に応じた信号を出力する
ことを特徴とする請求項１ないし請求項３のいずれか一項に記載の監視装置。
【請求項５】
前記超低温液化ガス容器は、
一端が前記内槽内の底部に配置されると共に他端が前記容器本体部の外部に配置される第４の配管と、
一端が前記内槽内の上部に配置されると共に他端が前記容器本体部の外部に配置される第５の配管と、
一端が前記第４の配管の中途に接続されると共に他端が前記第５の配管の中途に接続される第６の配管と、
前記第６の配管の中途に挿入接続され、かつ前記内槽の内圧が前記第１規定値よりも大きな第２規定値を超えたときに開放される第２の弁と
を備え、
前記制御部は、前記圧力計の計測値から前記第２の弁の開閉を判定すると共に前記第２の弁の開閉頻度を導出し、導出により得られた開閉頻度と所定の値とを対比して前記容器本体部の断熱性能の異常を判定したのち、その判定結果に応じた信号を出力する
ことを特徴とする請求項１ないし請求項３のいずれか一項に記載の監視装置。
【請求項６】
内槽および外槽からなる二重殻構造を有する容器本体部と、
圧力計と、
一端が前記内槽内の上部に配置されると共に他端が前記圧力計に接続される第１の配管と、
一端が前記内槽内の底部に配置されると共に他端が前記内槽内の上部に配置される第２の配管と、
前記第２の配管の中途に挿入接続されると共に前記内槽の内圧が所定の規定値を下回ったときに流量を調整する第１の弁と、
前記圧力計と前記第１の配管との間に挿入接続される３つ手の第１の継ぎ手と、
前記第２の配管のうち当該第２の配管の前記一端と前記第１の弁との間に挿入接続される３つ手の第２の継ぎ手と、
前記第１の継ぎ手および前記第２の継ぎ手に接続される第３の配管と、
前記第３の配管の中途に挿入接続される差圧計と、
一端が前記内槽内の底部に配置されると共に他端が前記容器本体部の外部に配置される第４の配管と
を備えた超低温液化ガス容器用の監視装置であって、
前記第４の配管から液化ガスが外部に流出している間、前記差圧計の計測値および前記内槽の断面積を用いて前記超低温液化ガス容器の交換時期を導出し、その交換時期に応じた信号を出力する制御部と、
前記制御部から出力された信号に応じた出力を行う出力部と
を有する
ことを特徴とする監視装置。
【請求項７】
内槽および外槽からなる二重殻構造を有する容器本体部と、
圧力計と、
一端が前記内槽内の上部に配置されると共に他端が前記圧力計に接続される第１の配管と、
一端が前記内槽内の底部に配置されると共に他端が前記容器本体部の外部に配置される第４の配管と、
一端が前記内槽内の上部に配置されると共に他端が前記容器本体部の外部に配置される第５の配管と、
一端が前記第４の配管の中途に接続されると共に他端が前記第５の配管の中途に接続される第６の配管と、
前記第６の配管の中途に挿入接続され、かつ前記内槽の内圧が所定の規定値を超えたときに開放される第２の弁と
を備えた超低温液化ガス容器用の監視装置であって、
前記圧力計の計測値から前記第２の弁の開閉を判定すると共に前記第２の弁の開閉頻度を導出し、導出により得られた開閉頻度と所定の値とを対比して前記容器本体部の断熱性能の異常を判定したのち、その判定結果に応じた信号を出力する制御部と、
前記制御部から出力された信号に応じた出力を行う出力部と
を有する
ことを特徴とする監視装置。
【請求項８】
内槽および外槽からなる二重殻構造を有する容器本体部と、
前記容器本体部に設けられた計器類部と
を備えた超低温液化ガス容器であって、
前記計器類部は、
圧力計と、
一端が前記内槽内の上部に配置されると共に他端が前記圧力計に接続される第１の配管と、
一端が前記内槽内の底部に配置されると共に他端が前記内槽内の上部に配置される第２の配管と、
前記第２の配管の中途に挿入接続されると共に前記内槽の内圧が第１規定値を下回ったときに流量を調整する第１の弁と、
前記圧力計と前記第１の配管との間に挿入接続される３つ手の第１の継ぎ手と、
前記第２の配管のうち当該第２の配管の前記一端と前記第１の弁との間に挿入接続される３つ手の第２の継ぎ手と、
前記第１の継ぎ手および前記第２の継ぎ手に接続される第３の配管と、
前記第３の配管の中途に挿入接続される差圧計と、
前記差圧計の計測値と所定の値とを対比して前記第１の弁の異常を判定したのち、その判定結果に応じた信号を出力する制御部と、
前記制御部から出力された信号に応じた出力を行う出力部と
を有する
ことを特徴とする超低温液化ガス容器。
【請求項９】
内槽および外槽からなる二重殻構造を有する容器本体部と、
前記容器本体部に設けられた計器類部と
を備えた超低温液化ガス容器であって、
前記計器類部は、
圧力計と、
一端が前記内槽内の上部に配置されると共に他端が前記圧力計に接続される第１の配管と、
一端が前記内槽内の底部に配置されると共に他端が前記内槽内の上部に配置される第２の配管と、
前記第２の配管の中途に挿入接続されると共に前記内槽の内圧が所定の規定値を下回ったときに流量を調整する第１の弁と、
前記圧力計と前記第１の配管との間に挿入接続される３つ手の第１の継ぎ手と、
前記第２の配管のうち当該第２の配管の前記一端と前記第１の弁との間に挿入接続される３つ手の第２の継ぎ手と、
前記第１の継ぎ手および前記第２の継ぎ手に接続される第３の配管と、
前記第３の配管の中途に挿入接続される差圧計と、
一端が前記内槽内の底部に配置されると共に他端が前記容器本体部の外部に配置される第４の配管と、
前記第４の配管から液化ガスが外部に流出している間、前記差圧計の計測値および前記内槽の断面積を用いて前記超低温液化ガス容器の交換時期を導出し、その交換時期に応じた信号を出力する制御部と、
前記制御部から出力された信号に応じた出力を行う出力部と
を有する
ことを特徴とする超低温液化ガス容器。
【請求項１０】
内槽および外槽からなる二重殻構造を有する容器本体部と、
前記容器本体部に設けられた計器類部と
を備えた超低温液化ガス容器であって、
前記計器類部は、
圧力計と、
一端が前記内槽内の上部に配置されると共に他端が前記圧力計に接続される第１の配管と、
一端が前記内槽内の底部に配置されると共に他端が前記容器本体部の外部に配置される第４の配管と、
一端が前記内槽内の上部に配置されると共に他端が前記容器本体部の外部に配置される第５の配管と、
一端が前記第４の配管の中途に接続されると共に他端が前記第５の配管の中途に接続される第６の配管と、
前記第６の配管の中途に挿入接続され、かつ前記内槽の内圧が所定の規定値を超えたときに開放される第２の弁と、
前記圧力計の計測値から前記第２の弁の開閉を判定すると共に前記第２の弁の開閉頻度を導出し、導出により得られた開閉頻度と所定の値とを対比して前記容器本体部の断熱性能の異常を判定したのち、その判定結果に応じた信号を出力する制御部と、
前記制御部から出力された信号に応じた出力を行う出力部と
を有する
ことを特徴とする超低温液化ガス容器。
【考案の詳細な説明】
【技術分野】
【０００１】
本発明は、超低温液化ガス容器内の内圧（蒸気圧）が低下したときに内圧を維持するために圧力を加える内圧調整弁の異常を検知する異常検知装置およびそれを備えた超低温液化ガス容器に関する。
【背景技術】
【０００２】
液化酸素、液化窒素、液化アルゴンなどの液化ガスを収容するものとして、超低温液化ガス容器というものが一般に利用されている（特許文献１参照）。
【特許文献１】特開２００１−７４２００号
【考案の開示】
【考案が解決しようとする課題】
【０００３】
通常、超低温液化ガス容器は、容器内の内圧（蒸気圧）が低下したときに内圧を維持するために圧力を加える内圧調整弁を外部に備えている。容器内の内圧は、容器内の液化ガスを超低温に維持するために液化に必要な圧力よりも常に高くなっていることが求められる。また、十分な流量で液化ガスを供給するためにも、最低限の流量を供給できる圧力よりも常に高くなっていることが求められる。そのため、内圧調整弁に何らかの異常（例えばリーク）が生じると、容器内の液化ガスが内圧調整弁から漏れ出して、充填作業時や配送時に重大な事故を招く虞がある。
【０００４】
また、超低温液化ガス容器は、医療現場などに欠かすことのできないものである。そのため、医療現場などでは、多くの超低温液化ガス容器が在庫として保管されている。しかし、使用中の超低温液化ガス容器の残量の確認は人手で行われているので、万が一、使用中の超低温液化ガス容器が空になりそうになった段階まで気が付かなかった場合には、在庫の超低温液化ガス容器と交換する間に使用中の超低温液化ガス容器が空になり、重大な事故を招く虞がある。
【０００５】
また、超低温液化ガス容器は、一般に、内圧が所定の規定値よりも高くなった場合には容器内で気化したガスを再度液化する循環機構を備えている。そのため、超低温液化ガス容器の断熱性能が劣化などにより低下して容器内の温度が高くなり、容器内の液化ガスが気化する量が多くなった場合には、この気化したガスにより容器内の内圧が所定の規定値を超え、上記した循環機構が作動する頻度が高くなる。その結果、超低温液化ガス容器を在庫している室内に気化したガスが充満して、重大な事故を招く虞がある。
【０００６】
そこで、最初の問題に対しては、内圧調整弁の異常を検知する装置を設置することが考えられるが、従来の方法を利用すると、既存の超低温液化ガス容器に大規模な工事を行うことが必要となり、そのような装置を設置するための膨大な手間やコストがかかるという問題がある。
【０００７】
また、２番目の問題に対しては、超低温液化ガス容器の重量を、頻繁にまたは常に計測することが考えられるが、この方法では、重量計測という作業が増えるだけでなく、重量を計測するための水平な台座を設置するための大規模な工事を行うことが必要となり、台座を設置したり、重量を計測するための膨大な手間やコストがかかるという問題がある。
【０００８】
また、３番目の問題に対しては、超低温液化ガス容器を在庫している室内に、気化したガスの濃度を計測する装置を設置することが考えられるが、この方法では、その装置付近のガス濃度がその装置が検知可能なレベルにまで達しないと、その装置は反応しない。そのため、室内の濃度分布が不均一となっている場合には、その装置が働いていなくても、室内の一部に気化したガスが充満している可能性があるという問題がある。
【０００９】
本考案はかかる問題点に鑑みてなされたもので、その第１の目的は、超低温液化ガス容器に対して簡単な工事を行うだけで、内圧調整弁の異常を検知することの可能な監視装置およびそれを備えた超低温液化ガス容器を提供することにある。また、第２の目的は、超低温液化ガス容器に対して簡単な工事を行うだけで、超低温液化ガス容器が空になる時期を予測することの可能な監視装置およびそれを備えた超低温液化ガス容器を提供することにある。また、第３の目的は、超低温液化ガス容器に対して簡単な工事を行うだけで、超低温液化ガス容器の断熱性能の異常を検知することの可能な監視装置およびそれを備えた超低温液化ガス容器を提供することにある。
【課題を解決するための手段】
【００１０】
本考案の第１の異常検知装置は、以下の（Ａ１）〜（Ａ９）の各構成要素を備えた超低温液化ガス容器用の装置であって、以下の（Ｂ１）〜（Ｂ２）の各構成要素を有するものである。
（Ａ１）内槽および外槽からなる二重殻構造を有する容器本体部
（Ａ２）圧力計
（Ａ３）一端が内槽内の上部に配置されると共に他端が圧力計に接続される第１の配管
（Ａ４）一端が内槽内の底部に配置されると共に他端が内槽内の上部に配置される第２の配管
（Ａ５）第２の配管の中途に挿入接続されると共に内槽の内圧が第１規定値を下回ったときに流量を調整する第１の弁
（Ａ６）圧力計と第１の配管との間に挿入接続される３つ手の第１の継ぎ手
（Ａ７）第２の配管のうち当該第２の配管の上記一端と第１の弁との間に挿入接続される３つ手の第２の継ぎ手
（Ａ８）第１の継ぎ手および第２の継ぎ手に接続される第３の配管
（Ａ９）第３の配管の中途に挿入接続される差圧計
（Ｂ１）差圧計の計測値と所定の値とを対比して第１の弁の異常を判定したのち、その判定結果に応じた信号を出力する制御部
（Ｂ２）制御部から出力された信号に応じた出力を行う出力部
【００１１】
本考案の第１の超低温液化ガス容器は、内槽および外槽からなる二重殻構造を有する容器本体部と、容器本体部に設けられた計器類部とを備えたものであり、上記計器類部は、以下の（Ｃ１）〜（Ｃ１０）の各構成要素を有するものである。
（Ｃ１）圧力計
（Ｃ２）一端が内槽内の上部に配置されると共に他端が圧力計に接続される第１の配管
（Ｃ３）一端が内槽内の底部に配置されると共に他端が内槽内の上部に配置される第２の配管
（Ｃ４）第２の配管の中途に挿入接続されると共に内槽の内圧が第１規定値を下回ったときに流量を調整する第１の弁
（Ｃ５）圧力計と第１の配管との間に挿入接続される３つ手の第１の継ぎ手
（Ｃ６）第２の配管のうち当該第２の配管の上記一端と第１の弁との間に挿入接続される３つ手の第２の継ぎ手
（Ｃ７）第１の継ぎ手および第２の継ぎ手に接続される第３の配管
（Ｃ８）第３の配管の中途に挿入接続される差圧計
（Ｃ９）差圧計の計測値と所定の値とを対比して第１の弁の異常を判定したのち、その判定結果に応じた信号を出力する制御部
（Ｃ１０）制御部から出力された信号に応じた出力を行う出力部
【００１２】
本考案の第１の異常検知装置および第１の超低温液化ガス容器では、第１の弁では、内槽の内圧が所定の規定値を下回ったときに、例えば内槽内の底部にある液化ガスが第２の配管内で気化したガスを内槽内の上部に向かって流す量（流量）が調整される。つまり、第１の弁は内圧調整弁として機能しており、制御部は内圧調整弁の異常をモニタリングしている。なお、圧力計と第１の配管との間に第１の継ぎ手が挿入接続されると共に、第２の配管のうち当該第２の配管の上記一端と第１の弁との間に第２の継ぎ手が挿入接続され、これら第１および第２の継ぎ手に対して、第３の配管、差圧計、制御部および出力部が設置されている。つまり、超低温液化ガス容器に対して第１の継ぎ手および第２の継ぎ手を挿入接続する工事を行うだけで、残りの第３の配管、差圧計、制御部および出力部を設置することが可能である。
【００１３】
本考案の第２の異常検知装置は、以下の（Ｄ１）〜（Ｄ１０）の各構成要素を備えた超低温液化ガス容器用の装置であって、以下の（Ｅ１）〜（Ｅ２）の各構成要素を有するものである。
（Ｄ１）内槽および外槽からなる二重殻構造を有する容器本体部
（Ｄ２）圧力計
（Ｄ３）一端が内槽内の上部に配置されると共に他端が圧力計に接続される第１の配管
（Ｄ４）一端が内槽内の底部に配置されると共に他端が内槽内の上部に配置される第２の配管
（Ｄ５）第２の配管の中途に挿入接続されると共に内槽の内圧が所定の規定値を下回ったときに流量を調整する第１の弁
（Ｄ６）圧力計と第１の配管との間に挿入接続される３つ手の第１の継ぎ手
（Ｄ７）第２の配管のうち当該第２の配管の上記一端と第１の弁との間に挿入接続される３つ手の第２の継ぎ手
（Ｄ８）第１の継ぎ手および第２の継ぎ手に接続される第３の配管
（Ｄ９）第３の配管の中途に挿入接続される差圧計
（Ｄ１０）一端が内槽内の底部に配置されると共に他端が容器本体部の外部に配置される第４の配管
（Ｅ１）第４の配管から液化ガスが外部に流出している間、差圧計の計測値および内槽の断面積を用いて前記超低温液化ガス容器の交換時期を導出し、その交換時期に応じた信号を出力する制御部
（Ｅ２）制御部から出力された信号に応じた出力を行う出力部
【００１４】
本考案の第２の超低温液化ガス容器は、内槽および外槽からなる二重殻構造を有する容器本体部と、容器本体部に設けられた計器類部とを備えたものであり、上記計器類部は、以下の（Ｆ１）〜（Ｆ１１）の各構成要素を有するものである。
（Ｆ１）圧力計
（Ｆ２）一端が内槽内の上部に配置されると共に他端が圧力計に接続される第１の配管
（Ｆ３）一端が内槽内の底部に配置されると共に他端が内槽内の上部に配置される第２の配管
（Ｆ４）第２の配管の中途に挿入接続されると共に内槽の内圧が所定の規定値を下回ったときに流量を調整する第１の弁
（Ｆ５）圧力計と第１の配管との間に挿入接続される３つ手の第１の継ぎ手
（Ｆ６）第２の配管のうち当該第２の配管の上記一端と第１の弁との間に挿入接続される３つ手の第２の継ぎ手
（Ｆ７）第１の継ぎ手および第２の継ぎ手に接続される第３の配管
（Ｆ８）第３の配管の中途に挿入接続される差圧計
（Ｆ９）一端が内槽内の底部に配置されると共に他端が容器本体部の外部に配置される第４の配管
（Ｆ１０）第４の配管から液化ガスが外部に流出している間、差圧計の計測値および内槽の断面積を用いて前記超低温液化ガス容器の交換時期を導出し、その交換時期に応じた信号を出力する制御部
（Ｆ１１）制御部から出力された信号に応じた出力を行う出力部
【００１５】
本考案の第２の異常検知装置および第２の超低温液化ガス容器では、第４の配管内によって内槽内の底部にある液化ガスを容器本体部の外部に取り出すことが可能である。つまり、第４の配管は取り出し用の配管として機能し、制御部は超低温液化ガス容器内の液化ガスの残量をモニタリングしている。なお、圧力計と第１の配管との間に第１の継ぎ手が挿入接続されると共に、第２の配管のうち当該第２の配管の上記一端と第１の弁との間に第２の継ぎ手が挿入接続され、これら第１および第２の継ぎ手に対して、第３の配管、差圧計、制御部および出力部が設置されている。つまり、超低温液化ガス容器に対しては、第１の継ぎ手および第２の継ぎ手を挿入接続する工事を行うだけで、残りの第３の配管、差圧計、制御部および出力部を設置することが可能である。
【００１６】
本考案の第３の異常検知装置は、以下の（Ｇ１）〜（Ｇ８）の各構成要素を備えた超低温液化ガス容器用の装置であって、以下の（Ｈ１）〜（Ｈ２）の各構成要素を有するものである。
（Ｇ１）内槽および外槽からなる二重殻構造を有する容器本体部
（Ｇ２）圧力計
（Ｇ３）一端が内槽内の上部に配置されると共に他端が圧力計に接続される第１の配管
（Ｇ４）一端が内槽内の底部に配置されると共に他端が容器本体部の外部に配置される第４の配管
（Ｇ５）一端が内槽内の上部に配置されると共に他端が容器本体部の外部に配置される第５の配管
（Ｇ７）一端が第４の配管の中途に接続されると共に他端が第５の配管の中途に接続される第６の配管
（Ｇ８）第６の配管の中途に挿入接続され、かつ内槽の内圧が所定の規定値を超えたときに開放される第２の弁
（Ｈ１）圧力計の計測値から第２の弁の開閉を判定すると共に第２の弁の開閉頻度を導出し、導出により得られた開閉頻度と所定の値とを対比して容器本体部の断熱性能の異常を判定したのち、その判定結果に応じた信号を出力する制御部
（Ｈ２）制御部から出力された信号に応じた出力を行う出力部
【００１７】
本考案の第３の超低温液化ガス容器は、内槽および外槽からなる二重殻構造を有する容器本体部と、容器本体部に設けられた計器類部とを備えたものであり、上記計器類部は、以下の（Ｊ１）〜（Ｊ８）の各構成要素を有するものである。
（Ｊ１）圧力計
（Ｊ２）一端が内槽内の上部に配置されると共に他端が圧力計に接続される第１の配管
（Ｊ３）一端が内槽内の底部に配置されると共に他端が容器本体部の外部に配置される第４の配管
（Ｊ４）一端が内槽内の上部に配置されると共に他端が容器本体部の外部に配置される第５の配管
（Ｊ５）一端が第４の配管の中途に接続されると共に他端が第５の配管の中途に接続される第６の配管
（Ｊ６）第６の配管の中途に挿入接続され、かつ内槽の内圧が所定の規定値を超えたときに開放される第２の弁
（Ｊ７）圧力計の計測値から第２の弁の開閉を判定すると共に第２の弁の開閉頻度を導出し、導出により得られた開閉頻度と所定の値とを対比して容器本体部の断熱性能の異常を判定したのち、その判定結果に応じた信号を出力する制御部
（Ｊ８）制御部から出力された信号に応じた出力を行う出力部
【００１８】
本考案の第３の異常検知装置および第３の超低温液化ガス容器では、第２の弁が開放された場合には、内槽内で気化したガスが内槽内の底部にある液化ガスに向かって流れ、最終的には液化する。つまり、第２の弁は循環調整弁として機能しており、制御部は循環調整弁の開閉頻度から、容器本体部の断熱性能の異常をモニタリングしている。なお、継ぎ手などを接続する工事をしないで制御部および出力部を設置することが可能である。
【考案の効果】
【００１９】
本考案の第１の異常検知装置および第１の超低温液化ガス容器によれば、超低温液化ガス容器に対して第１の継ぎ手および第２の継ぎ手を挿入接続し、これら第１および第２の継ぎ手に対して、第３の配管、差圧計、制御部および出力部を設置する簡単な工事を行うだけで、内圧調整弁の異常を検知することが可能となる。
【００２０】
本考案の第２の異常検知装置および第２の超低温液化ガス容器によれば、超低温液化ガス容器に対して第１の継ぎ手および第２の継ぎ手を挿入接続し、これら第１および第２の継ぎ手に対して、第３の配管、差圧計、制御部および出力部を設置する簡単な工事を行うだけで、超低温液化ガス容器が空になる時期を予測することが可能となる。
【００２１】
本考案の第３の異常検知装置および第３の超低温液化ガス容器によれば、超低温液化ガス容器に対して制御部および出力部を設置する簡単な工事を行うだけで、超低温液化ガス容器の断熱性能の異常を検知することが可能となる。
【考案を実施するための最良の形態】
【００２２】
以下、本考案の実施の形態について、図面を参照して詳細に説明する。
【００２３】
図１は、本考案の一実施の形態に係る超低温液化ガス容器１の概略構成を表すものである。この超低温液化ガス容器１は、容器本体部１０と、容器本体部１０の上部に取り付けられた計器類部２０とを備えたものである。
【００２４】
容器本体部１０は、液化酸素、液化窒素、液化アルゴンなどの液化ガスＬを収容するたて型の容器であり、内槽１１および外槽１２からなる二重殻構造となっている。内槽１１は、例えば超低温においても脆性を起こさない十分な強度および靭性を有するオーステナイト系ステンレス鋼板からなり、外槽１２は、例えば一般的な圧延鋼板からなる。内槽１１と外槽１２との間の空隙１３には、外槽１２を支持する支持部材１４が設けられている。この支持部材１４は、例えば熱伝導度の小さい断熱材からなり、内槽１１への熱の侵入を最小限に抑えるようになっている。また、空隙１３は、真空となっており、支持部材１４と同様、内槽１１への熱の侵入を最小限に抑えるようになっている。
【００２５】
内槽１１内には、液化ガスＬが加圧状態下で貯留されている。なお、以下において、単に「容器」と称した場合には、その容器は内槽１１を指しているものとする。
【００２６】
計器類部２０は、充填取出機構３０と、フロート式液面計４０と、圧力計測機構５０と、内圧調整機構６０と、監視機構７０（異常検知装置）と、ガス放出機構８０と、循環機構９０とを有している。
【００２７】
充填取出機構３０は、液化ガスＬを内槽１１内に流し込んだり、内槽１１内から取り出したりするための機構である。この充填取出機構３０は、例えば、充填取出用配管３１と、充填用配管３２と、充填取出用配管３１の中途に挿入接続された充填取出弁３３と、充填用配管３２の中途に挿入接続された充填弁３４とを有している。
【００２８】
ここで、充填取出用配管３１は、一端が外部に配置されると共に他端が内槽１１内の底部に配置されたものであり、液化ガスＬを容器内に流し込んだり、容器内から取り出すことが可能である。一方、充填用配管３２は、一端が外部に配置されると共に他端が内槽１１内の上部（液面Ｓよりも上の空隙の部分）に配置されたものであり、液化ガスＬを容器内に流し込むだけでなく、液化ガスＬを容器内の上部から流し込むことにより容器内全体を冷却することが可能である。これにより、充填取出用配管３１は、容器に流し込んだ液化ガスＬが気化するのを抑制しつつ、充填取出用配管３１および充填用配管３２から容器内に液化ガスＬを短時間の間に大量に流し込むことが可能である。また、充填取出弁３３は、超低温液化ガス容器１を使用していないとき、例えば、充填取出用配管３１が後述の設備側充填取出用配管１３１と接続されていないときや、充填取出用配管３１が設備側充填取出用配管１３１と接続されると共に後述の設備側充填取出弁１３３が閉じているときには閉じておき、超低温液化ガス容器１を使用しているとき、例えば、充填取出用配管３１が設備側充填取出用配管１３１と接続されると共に設備側充填取出弁１３３が開いているときには開けておく開閉弁である。
【００２９】
なお、充填取出用配管３１のうち充填取出弁３３と充填取出用配管３１の他端との間には、３つ手（Ｔ字型）の継ぎ手３５が挿入接続されており、継ぎ手３５の残りの手には、後述の循環用配管９１の一端が接続されている。
【００３０】
また、充填取出用配管３１には設備側充填取出機構１３０が接続されている。この設備側充填取出機構１３０は、液化ガスＬを内槽１１内に流し込んだり、内槽１１内から取り出したりするための、超低温液化ガス容器１が設置される設備側の機構であり、設備側充填取出用配管１３１、設備側充填取出弁１３２、液化ガスを気化する気化装置１３３、設備側継ぎ手１３４，１３５を有している。ここで、設備側充填取出用配管１３１の一端が設備側継ぎ手１３４を介して充填取出用配管３１に接続されている。この設備側充填取出用配管１３１の中途には設備側充填取出弁１３２および気化装置１３３が設備側充填取出用配管１３１の上記一端側から順に挿入接続されている。また、設備側充填取出用配管１３１のうち設備側充填取出用配管１３１の他端と気化装置１３３との間には、３つ手（Ｔ字型）の設備側継ぎ手１３５が挿入接続されており、設備側継ぎ手１３５の残りの手には、後述の設備側ガス放出用配管１８１の一端が接続されている。なお、設備側充填取出用配管１３１の他端には、液化ガスＬを消費する機器などが接続される。
【００３１】
フロート式液面計４０は、液化ガスＬの液面Ｓの位置を簡易に計測するためのものである。このフロート式液面計４０は、例えば、液面Ｓに浮遊する浮き４１と、目盛り棒４２と、目盛り付きの窓４３とを備えている。目盛り棒４２の一端は浮き４１の上部に接続されており、その他端は内槽１１を貫通して空隙１３内に延在している。目盛り付きの窓４３は、外槽１２の一部を構成しており、外部から空隙１３内の目盛り棒４２の他端を目視可能な位置に設けられている。これにより、窓４３の目盛りと目盛り棒４２の位置とから、液化ガスＬの液面Ｓの位置をおおまかに計測することができる。
【００３２】
圧力計測機構５０は、容器内の内圧を計測するためのものである。この圧力計測機構５０は、例えば、圧力計測用配管５１と、圧力計５２とを有している。圧力計測用配管５１の一端は内槽１１内の上部（液面Ｓよりも上の空隙の部分）に配置されており、その他端には３つ手（Ｔ字型）の継ぎ手５３を介して圧力計５２が接続されている。なお、継ぎ手５３の残りの手には、後述の監視用配管７１の一端が接続されている。
【００３３】
内圧調整機構６０は、容器内の内圧が低下したときに容器内に圧力を加えて内圧を維持するための機構である。この内圧調整機構６０は、例えば、内圧調整用配管６１と、この内圧調整用配管６１の中途に挿入接続された内圧弁６２および内圧調整弁６３とを有している。
【００３４】
ここで、内圧調整用配管６１の一端が内槽１１を貫通して内槽１１内の液化ガスＬの底部に配置され、その他端が内槽１１内の上部（液面Ｓよりも上の空隙の部分）に配置されている。内圧弁６２は、超低温液化ガス容器１を使用していないとき、例えば、充填取出用配管３１が後述の設備側充填取出用配管１３１と接続されていないときや、充填取出用配管３１が設備側充填取出用配管１３１と接続されると共に後述の設備側充填取出弁１３３が閉じているときには閉じておき、超低温液化ガス容器１を使用しているとき、例えば、充填取出用配管３１が設備側充填取出用配管１３１と接続されると共に設備側充填取出弁１３３が開いているときには開けておく開閉弁である。この内圧弁６２は、内圧調整用配管６１の一端側に配置されている。内圧調整弁６３は、超低温液化ガス容器１を使用している場合に内槽１１の内圧が所定の規定値（第１規定値α）を下回ったときに、内槽１１内の底部にある液化ガスＬが内圧調整用配管６１内で気化したガスを内槽１１内の上部に向かって流すガスの流量を調整するためのものであり、一種の抵抗器である。この内圧調整弁６３は、内圧調整用配管６１の他端側に配置されている。なお、内圧弁６２と内圧調整弁６３との間には、３つ手（Ｔ字型）の継ぎ手６４が挿入接続されており、継ぎ手６４の残りの手には、後述の監視用配管７１の他端が接続されている。
【００３５】
監視機構７０は、（ａ）内圧調整弁６３の異常（例えばリーク）を検知し、（ｂ）超低温液化ガス容器が空になる時期を予測し、（ｃ）超低温液化ガス容器の断熱性能の低下を検知するための機構である。この監視機構７０は、例えば、監視用配管７１と、この監視用配管７１の中途に挿入接続された差圧計７２と、差圧計７２および圧力計５２に接続された制御部７３と、制御部７３に接続された表示部７４および報知部７５とを有している。
【００３６】
ここで、監視用配管７１の一端は圧力計測機構５０の継ぎ手５３に接続されており、その他端は内圧調整機構６０の継ぎ手６４に接続されている。
【００３７】
差圧計７２は、継ぎ手５３内の圧力（容器内の内圧）と継ぎ手６４内の圧力（容器内の内圧と、容器内の液化ガスＬの重さによって生じる圧力との和）との差圧を検出すると共に、検出した差圧の情報を制御部７３に伝送するようになっている。
【００３８】
制御部７３は、圧力計５２により得られた圧力の情報や、差圧計７２などにより得られた残量の情報（および交換時期）を表示する信号を表示部７４に伝送するようになっている。また、制御部７３は、内蔵された記憶部７３Ａに記憶しておいた情報（後述）と、差圧計７２で検出した差圧の情報とを対比して、内圧調整弁６３の異常（例えばリーク）を判定し、異常があると判定した場合には異常があることを示す信号を報知部７５に伝送し、異常がないと判定した場合には異常がないことを示す信号を報知部７５に伝送するようになっている。また、制御部７３は、圧力計５２の計測値から循環調整弁９２（後述）の開閉を判定すると共に循環調整弁９２の開閉頻度を導出し、導出により得られた開閉頻度と、内蔵された記憶部７３Ａに記憶しておいた情報（後述）とを対比して容器本体部１０の断熱性能の異常を判定し、異常があると判定した場合には異常があることを示す信号を報知部７５に伝送し、異常がないと判定した場合には異常がないことを示す信号を報知部７５に伝送するようになっている。また、制御部７３は、差圧計７２の計測値および内槽１１の断面積を用いて液化ガスＬの単位時間あたりの使用量を導出し、導出した単位時間あたりの使用量から超低温液化ガス容器１の交換時期（内槽１１内の液化ガスＬが空になる時期よりも所定の期間だけ早い時期）を導出し、その交換時期に応じた信号を報知部７５に伝送するようになっている。
【００３９】
なお、制御部７３から表示部７４や報知部７５への信号の伝送は、有線や無線で行うことが可能である。従って、制御部７３から表示部７４や報知部７５への信号の伝送を無線で行う場合には、表示部７４や報知部７５を超低温液化ガス容器１とは別個の場所に容易に配置することが可能である。また、圧力計５２や差圧計７２から制御部７３への信号の伝送についても、有線や無線で行うことが可能である。従って、圧力計５２や差圧計７２から制御部７３への信号の伝送を無線で行う場合には、制御部７３を超低温液化ガス容器１とは別個の場所に容易に配置することが可能である。
【００４０】
表示部７４は、制御部７３からの信号に応じた出力を行うようになっている。例えば、圧力計５２により得られた圧力の情報を表示する信号を受信すると、圧力の値を表示し、差圧計７２などにより得られた残量の情報（および交換時期）を表示する信号を受信すると、残量の値や交換時期を表示するようになっている。
【００４１】
報知部７５は、制御部７３からの信号に応じた出力を行うようになっている。例えば、異常があることを示す信号を受信すると、例えば、異常を知らせるランプを点滅させたり、警報音を鳴らすようになっている。また、例えば、交換時期が近づいたことを意味する信号を受信すると、例えば、交換時期を知らせるランプを点滅させたり、警報音を鳴らすようになっている。
【００４２】
ガス放出機構８０は、設備側ガス放出機構１８０に連結されるものである。このガス放出機構８０は、例えば、ガス放出用配管８１と、このガス放出用配管８１の中途に挿入接続されたガス放出弁８２とを有している。また、設備側ガス放出機構１８０は、容器内の内圧が異常に上昇したときに内圧を維持するために容器内の圧力を下げるための、超低温液化ガス容器１が設置される設備側の機構であり、例えば、設備側ガス放出用配管１８１と、この設備側ガス放出用配管１８１の中途に挿入接続された設備側ガス放出弁１８２と、設備側ガス放出用配管１８１の他端とのガス放出用配管８１の一端とを互いに接続する設備側継ぎ手１８３とを有している。
【００４３】
ここで、ガス放出用配管８１の一端（設備側継ぎ手１８３との接続端）が外部に配置されており、その他端が内槽１１内の上部（液面Ｓよりも上の空隙の部分）に配置されている。ガス放出弁８２は、超低温液化ガス容器１を使用していないとき、例えば、ガス放出用配管８１が設備側ガス放出用配管１８１と接続されていないときには閉じておき、超低温液化ガス容器１を使用しているとき、例えば、ガス放出用配管８１が設備側ガス放出用配管１８１と接続されているときには開けておく開閉弁である。これにより、ガス放出機構８０は、設備側ガス放出弁１８２が開いたときに、ガス放出用配管８１を介して、気化したガスを設備側ガス放出機構１８０側に伝播させることが可能である。
【００４４】
また、ガス放出用配管８１の一端が設備側継ぎ手１８３を介して設備側ガス放出用配管１８１に接続されている。この設備側ガス放出用配管１８１の中途には設備側ガス放出弁１８２が挿入接続されている。また、設備側ガス放出用配管１８１のうち設備側ガス放出用配管１８１の他端と設備側ガス放出弁１８２との間には、３つ手（Ｔ字型）の設備側継ぎ手１８３が挿入接続されており、設備側継ぎ手１３５の残りの手には、設備側充填取出機構１３０の設備側継ぎ手１３５が接続されている。ここで、設備側ガス放出弁１８２は、内槽１１内の圧力が所定の規定値（第１規定値αよりも大きな第２規定値β）を超えたときに、容器外に放出するガスの流量を調整するためのものであり、一種の抵抗器である。これにより、設備側ガス放出機構１８０は、内槽１１内の圧力（内圧）が所定の規定値を超えたときに、容器内で気化したガスを設備側充填取出機構１３０に放出することが可能である。
【００４５】
なお、ガス放出用配管８１のうちガス放出弁８２とガス放出用配管８１の一端との間には、３つ手（Ｔ字型）の継ぎ手８３が挿入接続されており、継ぎ手８３の残りの手には、後述の循環用配管９１の他端が接続されている。
【００４６】
循環機構９０は、容器内の内圧が異常に上昇したときに内圧を所定の大きさよりも低く維持するために容器内の圧力を下げるための機構である。この循環機構９０は、例えば、循環用配管９１と、この循環用配管９１の中途に挿入接続された循環調整弁９２とを有している。
【００４７】
ここで、循環用配管９１の一端が充填取出機構３０の継ぎ手３５に接続され、その他端がガス放出機構８０の継ぎ手８３に接続されている。循環調整弁９２は、内槽１１内の圧力が所定の値（第２規定値βよりも大きな第３規定値γ）を超えたときに、容器内で気化したガスを容器内の液化ガスＬ内に送り込むガスの流量を調整するためのものであり、一種の抵抗器である。
【００４８】
このような構成の超低温液化ガス容器１では、例えば、充填取出用配管３１が後述の設備側充填取出用配管１３１と接続されていないときや、図２に示したように、充填取出用配管３１が設備側充填取出用配管１３１と接続されると共に後述の設備側充填取出弁１３３が閉じているときには、内槽１１内の上部のガスの蒸気圧Ｐ１と、容器内の液化ガスＬの重さによって生じる圧力Ｐ２とはそれぞれ一定となっている。そのため、圧力計５２は、内槽１１内の上部のガスの蒸気圧Ｐ１が一定となっていることを表示し、差圧計７２は、継ぎ手６４内の圧力（蒸気圧Ｐ１＋圧力Ｐ２）から継ぎ手５３内の圧力（蒸気圧Ｐ１）を減算して得られる差圧（圧力Ｐ２）が一定となっていることを表示する。つまり、差圧計７２の表示から、液面Ｓが変動していない（容器内の液化ガスＬの残量が変化していない）ことがわかる。
【００４９】
また、例えば、図３に示したように、充填取出用配管３１が設備側充填取出用配管１３１と接続されると共に設備側充填取出弁１３３が開いているときには、内槽１１内の上部のガスの蒸気圧Ｐ１と、容器内の液化ガスＬの重さによって生じる圧力Ｐ２とがそれぞれ液化ガスＬの供給流量の大きさに応じて徐々に減っていく。そのため、差圧計７２は、例えば、図４（Ａ）の囲みＲ１に示したように、継ぎ手６４内の圧力（蒸気圧Ｐ１＋圧力Ｐ２）から継ぎ手５３内の圧力（蒸気圧Ｐ１）を減算して得られる差圧（圧力Ｐ２）が液化ガスＬの供給流量の大きさに応じて徐々に減っていることを表示する。つまり、差圧計７２の表示から、液面Ｓが徐々に低くなっている（容器内の液化ガスＬの残量が徐々に少なくなっている）ことがわかる。また、圧力計５２は、図４（Ｂ）の囲みＲ２に示したように、内槽１１内の上部のガスの蒸気圧Ｐ１が液化ガスＬの供給流量の大きさに応じて徐々に減っていることを表示する。なお、図４（Ａ）は、内槽１１の内圧があまり高くない場合によく見られる圧力の変化を表したものである。
【００５０】
このとき、蒸気圧Ｐ１が所定の値（図４中の一点鎖線）を下回ると、例えば、図５に示したように、内圧調整弁６３が開く。すると、継ぎ手６４から見て、内圧調整用配管６１のうち内圧弁６２側の部分６１Ａと、内圧調整用配管６１のうち内圧調整弁６３側の部分６１Ｂとが互いに並列接続された状態となる。その結果、差圧計７２は、圧力の相対的に低い内槽１１内の上部の影響を受けて、差圧が急激に所定の大きさＡ１だけ低くなったことを表示する（図４（Ａ）参照）。つまり、差圧計７２の表示からは、液面Ｓが急激に低くなった（容器内の液化ガスＬの残量が急激に少なくなった）ように見える。つまり、このときの差圧計７２は正確な値を示さなくなる。
【００５１】
その後、しばらくすると、蒸気圧Ｐ１が所定の値（図４（Ｂ）中の二点鎖線）にまで戻ってくる。すると、例えば、図３に示したように、内圧調整弁６３が閉じるので、差圧計７２は、再び正常な値を表示するようになる。
【００５２】
また、内槽１１の内圧が比較的高いときには、例えば、図６（Ｂ）に示したように、蒸気圧Ｐ１が所定の値（図６（Ｂ）中の一点鎖線）を下回り、内圧調整弁６３が開くと、内圧調整機構６０の作用により、内槽１１の内圧が高くなり始め、差圧の傾き（減少率）が当初の傾きＤ１から所定の大きさだけ小さくなって傾きＤ２に変化し（図６（Ａ））、見かけ上、液面Ｓの低下率が急激に小さくなった（容器内の液化ガスＬの残量の減少率が急激に小さくなった）ことを表示する。つまり、このときの差圧計７２は正確な値を示さなくなる。
【００５３】
その後、しばらくすると、蒸気圧Ｐ１が所定の値（図６（Ｂ）中の二点鎖線）にまで戻ってくる。すると、例えば、図３に示したように、内圧調整弁６３が閉じるので、差圧計７２は、再び実際の低下率で液化ガスＬが減少していることを表示するようになる。もっとも、差圧計７２は、差圧の傾きが当初よりも小さくなったときの誤差を含んだ値を表示するようになるので、例えば、その誤差を制御部７３で補正して正確な残量を表示装置（図示せず）に表示するようにすることが好ましい。
【００５４】
このようにして、本実施の形態の超低温液化ガス容器１は、容器内の内圧を所定の範囲内に保ちつつ、液化ガスＬを供給することができる。
【００５５】
ところで、本実施の形態の超低温液化ガス容器１において、何らかの原因で内圧調整弁６３に異常（例えば外部へのリーク）が生じると、図４（Ａ）、図６（Ａ）中の二点鎖線で示したように、差圧（液化ガスＬの残量）は通常の使用時よりも早く低下する。つまり、差圧の傾きが正常時の大きさＢ１よりも大きなＢ２になる。そのため、例えば、内槽１１の内圧があまり高くない場合に、内圧調整弁６３に異常が生じた状態で内圧調整機構６０が作動すると、図４（Ａ）で示したように、差圧が正常時の下落幅Ａ１よりも小さなＡ２程度しか下落しない。
【００５６】
また、例えば、内槽１１の内圧が比較的高い場合に、内圧調整弁６３に異常（例えば外部へのリーク）が生じた状態で内圧調整機構６０が作動すると、図６（Ａ）中の二点鎖線で示したように、差圧（液化ガスＬの残量）は通常の使用時よりも遅く低下する。つまり、差圧の傾きが通常時の大きさＣ１よりも小さなＣ２になる。
【００５７】
そこで、本実施の形態では、制御部７３内部の記憶部７３Ａにあらかじめ、内槽１１の内圧があまり高くない場合に正常な内圧調整弁６３を開いたときに生じ得る差圧の低下量の範囲Ｄ１〜Ｄ２を記憶させておき、例えば、内槽１１の内圧があまり高くない場合には、この所定の範囲Ｄ１〜Ｄ２内に、内圧調整弁６３を実際に開いたときに得られた値が入っているか否かを制御部７３で判定するようにした。その結果、その値が所定の範囲Ｄ１〜Ｄ２内に入っていない場合には内圧調整弁６３に異常があると判断して、異常を示す信号を報知部７５に伝送するようにした。
【００５８】
また、制御部７３内部の記憶部７３Ａにあらかじめ、内槽１１の内圧が比較的高い場合に正常な内圧調整弁６３を開いたときに生じ得る差圧の傾きの変化量の範囲Ｅ１〜Ｅ２を記憶させておき、例えば、内槽１１の内圧が比較的高い場合には、この所定の範囲Ｅ１〜Ｅ２内に、内圧調整弁６３を実際に開いたときに得られた値が入っているか否かを制御部７３で判定するようにした。その結果、その値が所定の範囲Ｅ１〜Ｅ２内に入っていない場合には内圧調整弁６３に異常があると判断して、異常を示す信号を報知部７５に伝送するようにした。
【００５９】
なお、内槽１１の内圧の大きさによって差圧が図４（Ａ）、図６（Ａ）に示したような変化を生じる場合には、内圧調整弁６３の異常の監視に際して、圧力計５２の計測値を用いる必要があるが、差圧が図４（Ａ）、図６（Ａ）に示したような変化を生じない場合には、圧力計５２の計測値を用いる必要はない。
【００６０】
このように、本実施の形態では、容器内の内圧と容器内の液化ガスＬの重さによって生じる圧力との和から容器内の内圧を減じることにより得られる圧力（差圧）の変化を監視するようにしたので、内圧調整弁６３の異常を確実に検知することができる。これにより、内圧調整弁６３に何らかの異常（例えば外部へのリーク）が生じたときに、容器内の液化ガスＬが内圧調整弁６３から外部へ漏れ出して、充填作業時や配送時に重大な事故を招く虞をなくすることができる。
【００６１】
また、本実施の形態では、制御部７３は、超低温液化ガス容器１を使用しているとき（例えば充填取出用配管３１から容器内の液化ガスＬが外部に流出している間）や、さらに超低温液化ガス容器１を使用していないとき（例えば充填取出用配管３１から容器内の液化ガスＬが外部に流出していない間）に、ある時刻Ｔ１の差圧計７２の計測値Ｋ１から、ある時刻Ｔ２の差圧計７２の計測値Ｋ２を減算して得られた値（Ｋ１−Ｋ２）に内槽１１の断面積Ｍを乗算すると共に時間（Ｔ２−Ｔ１）で除算することにより、液化ガスＬの単位時間あたりの使用量Ｕ（以下の式（１）参照）を導出し、導出した使用量Ｕと、内槽１１内の液化ガスＬの残量とから超低温液化ガス容器１の交換時期（内槽１１内の液化ガスＬが空になる時期よりも所定の期間だけ早い時期）を導出するようにした。そして、導出された交換時期が例えば数日後に迫ったときに、交換時期が来たことを示す信号を報知部７５に伝送するようにした。
Ｕ＝（Ｋ１−Ｋ２）×Ｍ／（Ｔ２−Ｔ１）…（１）
【００６２】
このように、本実施の形態では、圧力計５２の計測値を利用して、内槽１１内の液化ガスＬの使用量を監視するようにしたので、超低温液化ガス容器１の交換時期を確実に検知することができる。これにより、使用中の超低温液化ガス容器が空になりそうになっていることを見過ごすことがなくなるので、使用中の超低温液化ガス容器１が空になって、重大な事故が生じる虞はない。
【００６３】
また、本実施の形態の超低温液化ガス容器１において、断熱性能が劣化などにより低下して容器内の温度が高くなり、容器内の液化ガスＬが気化する量が多くなると、図７に示したように、まず、この気化したガスにより容器内の内圧が所定の規定値（規定値β）を超え、ガス放出弁８２が作動する。しばらくして、容器内の温度が更に高くなり、容器内の液化ガスＬが気化する量が更に多くなると、この気化したガスにより容器内の内圧が所定の規定値（規定値γ）を超え、循環調整弁９２も作動するようになる。そして、最終的には、超低温液化ガス容器１の断熱性能が回復しない限り、循環調整弁９２の開閉動作が繰り返し生じることになり、循環調整弁９２の開閉頻度（単位時間あたりの開閉回数）が高くなる。つまり、循環調整弁９２の開閉頻度が正常時の開閉頻度Ｇ１よりも大きなＧ２になる。このように、超低温液化ガス容器１の断熱性能に異常が生じているときには、循環調整弁９２の開閉頻度Ｇ２が正常時の開閉頻度Ｇ１よりも大きくなる。
【００６４】
そこで、本実施の形態では、制御部７３内部の記憶部７３Ａにあらかじめ、正常時の循環調整弁９２の開閉頻度の範囲Ｈ１〜Ｈ２を記憶させておき、この所定の範囲Ｈ１〜Ｈ２内に、実際に計測により得られた循環調整弁９２の開閉頻度が入っているか否かを制御部７３で判定するようにした。その結果、その値が所定の範囲Ｈ１〜Ｈ２内に入っていない場合には、超低温液化ガス容器１の断熱性能に異常があると判断して、異常を示す信号を報知部７５に伝送するようにした。
【００６５】
このように、本実施の形態では、圧力計５２の計測値を利用して、循環調整弁９２の開閉頻度を監視するようにしたので、超低温液化ガス容器１の断熱性能の異常を確実に検知することができる。これにより、使用中の超低温液化ガス容器１の断熱性能に異常があることを見過ごすことがなくなるので、超低温液化ガス容器１を在庫している室内に気化したガスが充満して、重大な事故が生じる虞はない。
【００６６】
また、本実施の形態では、監視機構７０は、圧力計測機構５０に継ぎ手５３を設けると共に内圧調整機構６０に継ぎ手６４を設けるだけで設置可能となっているので、既存の超低温液化ガス容器に対して簡単な工事を行うだけで監視機構７０を設置することができる。
【００６７】
なお、本実施の形態では、循環機構９０が設けられているので、これが作動すると、容器内の液化ガスＬ内に大量の気泡が発生し、容器内の液化ガスＬの重さによって生じる圧力Ｐ２の値が変動する。しかし、循環機構９０が作動するのは一般に超低温液化ガス容器１を保管している状態のときであり、しかも作動時間は内圧調整機構６０の作動時間と比べるとほんのわずかである。そのため、本実施の形態の監視機構７０において、循環機構９０による悪影響はほとんどない。
【００６８】
以上、上記実施の形態を挙げて本考案を説明したが、本考案は、これに限定されるものではなく、種々の変形が可能である。
【００６９】
例えば、上記実施の形態では、液化ガスＬを消費する機器などに超低温液化ガス容器１が一本だけ接続されている場合について説明したが、複数本、並列に接続されていてもよい。ただし、この場合には、例えば、並列に接続された各超低温液化ガス容器１のうちいずれか一つを使用している場合に、その使用している超低温液化ガス容器１の内圧が所定の値を下回り、ガス供給流量が不十分となったときに、その超低温液化ガス容器１に接続されている設備側充填取出弁１３３が閉じ、それに伴い、他の超低温液化ガス容器１に接続されている設備側充填取出弁１３３が開くようになっている。
【００７０】
また、上記実施の形態では、内圧調整弁６３を実際に開いたときに得られた値が所定の範囲Ｂ１〜Ｂ２内に入っているか否かを判定することにより、内圧調整弁６３の異常を判断していたが、その他の方法により判定するようにしてもよい。例えば、制御部７３内部の記憶部７３Ａにあらかじめ、正常な内圧調整弁６３を閉じているときに生じ得る差圧の低下量の傾き（微分値）の範囲Ｄ１〜Ｄ２を記憶させておき、この所定の範囲Ｄ１〜Ｄ２内に、内圧調整弁６３を実際に閉じているときに得られた差圧の低下量の傾きが入っているか否かを制御部７３で判定するようにした。その結果、その傾きが所定の範囲Ｄ１〜Ｄ２内に入っていない場合には内圧調整弁６３に異常があると判断して、異常を示す信号を報知部７５に伝送することも可能である。
【００７１】
また、上記実施の形態では、容器本体部１０は図１などにおいて可搬性を有する小型の容器として記載されていたが、設置型の大型の容器であってもよい。
【００７２】
また、上記実施の形態では、監視機構７０は複数の監視機能を備えていたが、常にそれら全ての機能を備えている必要はなく、必要な機能を備えていればよい。
【図面の簡単な説明】
【００７３】
【図１】本考案の一実施の形態に係る超低温液化ガス容器の概略構成図である。
【図２】図１の超低温液化ガス容器を保管状態としたときに表示される圧力計および差圧計の値について説明するための概略構成図である。
【図３】図１の超低温液化ガス容器をガス供給状態としたときに表示される圧力計および差圧計の値について説明するための概略構成図である。
【図４】図３の超低温液化ガス容器における圧力計および差圧計の値の時間変化の一例について説明するための時間変化図である。
【図５】図３の超低温液化ガス容器においてを蒸気圧が所定の値を下回った場合について説明するための概略構成図である。
【図６】図３の超低温液化ガス容器における圧力計および差圧計の値の時間変化の他の例について説明するための時間変化図である。
【図７】図３の超低温液化ガス容器における圧力計の値の時間変化の更に他の例について説明するための時間変化図である。
【符号の説明】
【００７４】
１…超低温液化ガス容器、１０…容器本体部、１１…内槽、１２…外槽、１３…空隙、１４…支持部材、２０…計器類部、３０…充填取出機構、３１…充填取出用配管、３２…充填用配管、３３…充填取出弁、３４…充填弁、３５，５３，６４，８３…継ぎ手、４０…フロート式液面計、４１…浮き、４２…目盛り棒、４３…窓、５０…圧力計測機構、５１…圧力計測用配管、５２…圧力計、６０…内圧調整機構、６１…内圧調整用配管、６２…内圧弁、６３…内圧調整弁、７０…監視機構、７１…監視用配管、７２…差圧計、７３…制御部、７３Ａ…記憶部、７４…表示部、７５…報知部、８０…ガス放出機構、８１…ガス放出用配管、８２…ガス放出弁、９０…循環機構、９１…循環用配管、９２…循環調整弁、Ｌ…液化ガス。
【図１】
0003134551.tif 000003
【図２】
0003134551.tif 000004
【図３】
0003134551.tif 000005
【図４】
0003134551.tif 000006
【図５】
0003134551.tif 000007
【図６】
0003134551.tif 000008
【図７】
0003134551.tif 000009